(57)【要約】  【課題】簡単な構成で、細断屑の不意な落下を有効に防止し得るシュレッダを提供する。  【解決手段】本実施形態に係るシュレッダＡは、屑入４に設けられた押圧子４２と、シャッタ５に設けられ押圧子４２の係脱を許容する第１の姿勢（Ｐ）から押圧子４２の係脱を禁止する第２の姿勢（Ｑ）までの間で姿勢を変更し得る作動体６と、この作動体６をシャッタ５が綴じた位置において第１の姿勢（Ｐ）に保持するための保持手段６ｘと、屑入４の挿入に伴う押圧子４２の押圧力によって第２の姿勢（Ｑ）に達した作動体６の姿勢変更をシャッタ５が綴じていない領域において禁止する姿勢変更規制手段７３と、第１の姿勢（Ｐ）に復帰する作動体６と係り合ってそのシャッタ５を閉じた位置にロックするロック部材７５とを具備してなる。  【選択図】図２
2010005511.tif 000002
【特許請求の範囲】
【請求項１】
処理物を細断するための刃を収容した刃収容部と、この刃収容部の細断屑排出口に臨ませた屑入収容部とを形成するハウジングを備え、このハウジングに前記細断屑排出口を開閉するシャッタを設けるとともに、前記屑入収容部に屑入を挿入・離脱可能に収容してなるシュレッダであって、
屑入に設けられた押圧子と、前記シャッタに設けられ前記押圧子の係脱を許容する第１の姿勢から前記押圧子の係脱を禁止する第２の姿勢までの間で姿勢を変更し得る作動体と、この作動体をシャッタが綴じた位置において第１の姿勢に保持するための保持手段と、前記屑入の挿入に伴う押圧子の押圧力によって第２の姿勢に達した作動体の姿勢変更をシャッタが綴じていない領域において禁止する姿勢変更規制手段と、第１の姿勢に復帰する作動体と係り合ってそのシャッタを閉じた位置にロックするロック部材とを具備してなることを特徴とするシュレッダ。
【請求項２】
前記保持手段を、作動体の自重によって前記第１の姿勢に保たれるようにしてなるものとしている請求項１記載のシュレッダ。
【請求項３】
作動体を、回転動作によって第１の姿勢と第２の姿勢とに姿勢変更し得るものとしている請求項１又は２記載のシュレッダ。
【請求項４】
前記作動体を、前記シャッタの側方に設けたものとしている請求項１、２又は３記載のシュレッダ。
【請求項５】
シャッタが閉止状態からスライド動作する際に作動体を第１の姿勢から第２の姿勢へと案内する姿勢変更案内手段を更に設けたものとしている請求項１、２、３又は４記載のシュレッダ。
【請求項６】
一方から前記シャッタに支持された前記作動体の回転軸に他方から係り合い前記シャッタのスライド動作に応じた動作を案内し得る補助案内部をさらに有するものとしている請求項１、２、３、４又は５記載のシュレッダ。
【請求項７】
前記屑入を、細断屑を収容し得る屑入本体と前記押圧子とを有するものとし、
屑入本体を、前記押圧子の平面視周縁に上方を凹ませて設けた溝部を有するものとしている請求項１、２、３、４、５又は６記載のシュレッダ。
【請求項８】
刃収容部にシャッタを取り付けたものとし、前記刃収容部に作動体に係り合う保持体をさらに設け、当該保持体に前記姿勢変更規制手段を設けたものとしている請求項１、２、３、４、５、６又は７記載のシュレッダ。
【請求項９】
作動体を回転可能にシャッタに支持された回転軸と、回転軸から離間した位置に設けられた動作端とを有するものとし、
前記保持体に前記動作端を案内し得る動作端案内部を設け、前記動作端案内部を、前記シャッタが閉止状態にあるときの前記作動体が第１の姿勢から第２の姿勢へ至る際の動作端を案内すべく当該動作端の軌跡に応じて作動体の取付軸を中心に部分円弧状に周回させて設けた姿勢変更案内手段と、当該姿勢変更案内手段に連続して前記動作端を第２の姿勢に対応した位置を維持した状態で前記シャッタのスライド動作に沿って延伸させて設けた前記姿勢変更規制手段とを有するものとしている請求項８記載のシュレッダ。
【請求項１０】
前記保持体に、前記ロック部材を設けたものとしている請求項８又は９記載のシュレッダ。
【発明の詳細な説明】
【技術分野】
【０００１】
本発明は、紙葉類などの処理物を細断し得るシュレッダに関するものである。
【背景技術】
【０００２】
従来、処理物を細断するための刃を収容した刃収容部と、この刃収容部の細断屑排出口に臨ませた屑入収容部とを備えたハウジングに屑入を挿入・離脱可能に収容しているシュレッダが種々提案されている。このようなシュレッダにおいて、細断屑を廃棄する際に屑入をハウジングから離脱させる際に刃や刃収容部の内面に付着した細断屑が屑入の外に落下してしまうことがある。そして従来のシュレッダでは、このような刃収容部に付着した細断屑を使用者が安全に除去するために屑入が挿入された挿入状態でのみ刃が作動し得るようなインタロックシステムを具備するものが多く考案されている。
【０００３】
そしてさらに細断屑の落下を積極的に防止するために、屑入が挿入状態から動作すると細断屑排出口を屑入収容部に対して遮蔽するシャッタ等の可動体を設けたものも提案されている。そしてこのような可動体の構成としては、屑入の動作に合わせて回転動作する側面視Ｌ字型のシャッタを具備するものや、ロック部材やバネをシャッタ或いはシャッタ近傍に配することにより、シャッタを閉止位置でロックするためのロック機構を構成したもの（例えば、特許文献１参照）が知られている。
【特許文献１】特開２００７−７６０２号公報
【発明の開示】
【発明が解決しようとする課題】
【０００４】
しかしながら、屑入が挿入された挿入状態でのみ刃が作動し得るように設定されたものは、確かに細断屑を除去するために安全且つ有効なものではあるが、細断屑の落下を防止し得るものではなく、除去した細断屑について落下した細断屑と同様に掃除しなければならない。
【０００５】
そして、上述したような側面視Ｌ字状の回転動作可能なシャッタを設けた場合にはシャッタの回転の際に屑入又は刃収容部に付着した細断屑に触れてしまい、その細断屑を落下させてしまう可能性を有してしまう。また、特許文献１に記載したものでは、機構が勢い複雑なものとなるばかりか、シャッタを閉止位置に維持した状態では常にバネを引っ張った状態で保持する構成となり、これらバネ等の劣化により性能が低下する可能性も有したものとなっているのが現状である。
【０００６】
本発明は、このような不具合に着目したものであり、簡単な構成で、細断屑の不意な落下を有効に防止し得るシュレッダを提供する。
【課題を解決するための手段】
【０００７】
本発明は、このような目的を達成するために、次のような手段を講じたものである。すなわち、本発明に係るシュレッダは、処理物を細断するための刃を収容した刃収容部と、この刃収容部の細断屑排出口に臨ませた屑入収容部とを形成するハウジングを備え、このハウジングに前記細断屑排出口を開閉するシャッタを設けるとともに、前記屑入収容部に屑入を挿入・離脱可能に収容してなるシュレッダであって、屑入に設けられた押圧子と、前記シャッタに設けられ前記押圧子の係脱を許容する第１の姿勢から前記押圧子の係脱を禁止する第２の姿勢までの間で姿勢を変更し得る作動体と、この作動体をシャッタが綴じた位置において第１の姿勢に保持するための保持手段と、前記屑入の挿入に伴う押圧子の押圧力によって第２の姿勢に達した作動体の姿勢変更をシャッタが綴じていない領域において禁止する姿勢変更規制手段と、第１の姿勢に復帰する作動体と係り合ってそのシャッタを閉じた位置にロックするロック部材とを具備してなることを特徴とする。
【０００８】
このようなものであれば、作動体の姿勢変更によりシャッタの開閉時のロックを屑入の挿入・離脱に応じてスライドさせることにより、屑入の挿脱動作のみによって、シャッタのスライド並びにシャッタの閉止位置でのロック・ロック解除といった、シャッタの動作に対して必要十分の動作を行わせることができるので、複雑な機構を採用することなく、継続的に安定したシャッタの開閉動作をし得るシュレッダを提供することができる。
【０００９】
バネや格別の機構を用いることなく作動体を正常に動作させ得るものとするためには、保持手段を、作動体の自重によって第１の姿勢に保たれるようにすることが望ましい。
【００１０】
そして狭い動作範囲でも正確に姿勢変更を行わせるためには、作動体を、回転動作によって第１の姿勢と第２の姿勢とに姿勢変更し得るものとすることが好ましい。
【００１１】
さらに、屑入と屑入収容部との隙間といった狭い空間に配し易く、作動体並びにその動作範囲をさらにコンパクトにし易いものとするためには、作動体を、シャッタの側方から垂下させて設けたものとすることが望ましい。
【００１２】
また、作動体の姿勢変更をよりスムーズに行わせるための構成として、シャッタが閉止状態からスライド動作する際に作動体を第１の姿勢から第２の姿勢へと案内する姿勢変更案内手段を更に設けたものを挙げることができる。
【００１３】
作動体を両側から保持することにより、がたつき無く安定した動作をし得るものとするためには、一方からシャッタに支持された作動体の回転軸に他方から係り合いシャッタのスライド動作に応じた動作を案内し得る補助案内部をさらに有するものとすることが望ましい。
【００１４】
そして通常、シュレッダに収容する屑入には予めゴミ袋などを覆った状態で使用することも多い。しかしそのような使用態様であっても屑入を、細断屑を収容し得る屑入本体と押圧子とを有するものとした場合にゴミ袋の端が押圧子を覆ってしまい作動体との係り合いの妨げとなることを有効に回避するために、屑入本体を、押圧子の平面視周縁に上方を凹ませて設けた溝部を有するものとすることが望ましい。
【００１５】
シャッタの動作を良好に行わせながら確実な作動体の姿勢の維持を行い得るものとするための具体的な構成としては、刃収容部にシャッタを取り付けたものとし、刃収容部に作動体に係り合う保持体をさらに設け、当該保持体に姿勢変更規制手段を設けたものを挙げることができる。
【００１６】
そして保持体を採用した場合の作動体の姿勢変更を好適に行わせるための具体的な構成として、作動体を回転可能にシャッタに支持された回転軸と、回転軸から離間した位置に設けられた動作端とを有するものとし、保持体に動作端を案内し得る動作端案内部を設け、動作端案内部を、シャッタが閉止状態にあるときの作動体が第１の姿勢から第２の姿勢へ至る際の動作端を案内すべく当該動作端の軌跡に応じて作動体の取付軸を中心に部分円弧状に周回させて設けた姿勢変更案内手段と、当該姿勢変更案内手段に連続して動作端を第２の姿勢に対応した位置を維持した状態でシャッタのスライド動作に沿って延伸させて設けた姿勢変更規制手段とを有するものとしたものを挙げることができる。
【００１７】
上述の構成において、シャッタの開閉動作をさらに確実なものとするためには、上述の保持体に、ロック部材を設けることが望ましい。
【発明の効果】
【００１８】
本発明によれば、屑入の挿入・離脱に伴いシャッタに設けた作動体を姿勢変更させる構成によって、シャッタのスライド並びにシャッタの閉止位置でのロック・ロック解除といった、シャッタの動作に対して必要十分の動作を行わせることができる。そうすることにより、複雑な機構を採用することなく、継続的に安定したシャッタの開閉動作をし得るシュレッダを提供することが可能となる。
【発明を実施するための最良の形態】
【００１９】
以下、本発明の一実施の形態について図面を参照して説明する。
【００２０】
本実施形態に係るシュレッダＡは、図１に及び図２に示す通り、処理物を細断するための刃たる細断刃２３を収容した刃収容部２と、この刃収容部２の細断屑排出口２１に臨ませた屑入収容部３とを備えたハウジング１の前方から屑入４を挿入・離脱可能に収容しているものである。
【００２１】
そして本実施形態では、ハウジング１は後に詳述する細断屑排出口２１を前後スライド動作によって開閉し得るシャッタ５、シャッタ５の両側から垂下させるように設けた保持体７、シャッタ５並びに保持体７に介在させるように設けられシャッタ５とともにスライド動作するとともに保持体７に後述の通り係り合う及び作動体６をさらに有しており、これらシャッタ５、保持体７及び作動体６は刃収容部２に別途取り付けたものとしている。なお本明細書においては、シュレッダＡが使用者に近接する手前側を「前」とし設定して記載するものとする。
【００２２】
ここで、本実施形態に係るシュレッダＡは、屑入４に設けられた押圧子４２と、シャッタ５に設けられ押圧子４２の係脱を許容する第１の姿勢（Ｐ）から押圧子４２の係脱を禁止する第２の姿勢（Ｑ）までの間で姿勢を変更し得る作動体６と、この作動体６をシャッタ５が綴じた位置において第１の姿勢（Ｐ）に保持するための保持手段６ｘと、屑入４の挿入に伴う押圧子４２の押圧力によって第２の姿勢（Ｑ）に達した作動体６の姿勢変更をシャッタ５が綴じていない領域において禁止する姿勢変更規制手段７３と、第１の姿勢（Ｐ）に復帰する作動体６と係り合ってそのシャッタ５を閉じた位置にロックするロック部材７５とを具備してなることを特徴とするものである。
【００２３】
以下、シュレッダＡにおける、ハウジング１の各構成要素、並びに屑入４の構成について具体的に説明する。
【００２４】
なお、本実施形態に係るシュレッダＡは、他にも、電源部、屑入４を挿入していない状態では細断刃２３が作動しないインタロックシステムや電源の入切等の操作をし得る操作部等をハウジング１が具備しているものとなっているが、これらについては既存の種々の構成を採用し得るため、その詳細な説明を省略するものとする。
【００２５】
刃収容部２は、図１乃至図４に示すように、ハウジング１における上側に位置するものであり、上面側に紙葉類を投入するための投入口２４を設けるとともに下側には屑入収容部３に臨む細断屑排出口２１を配し、内部には紙葉類を細断し得る細断機構２２を内蔵している。細断機構２２は、投入口２４に対応する位置を介して対向させた一対の刃たる細断刃２３を具備し、これら細断刃２３を回転することによって紙葉類などの処理物を細断する物であるが、斯かる細断機構２２の構成については、既存の種々の構成のものを採用することができる。なお図４において細断機構２２の図示を省略して示している。
【００２６】
屑入収容部３は、図１乃至５に示すように、ハウジング１における下側に位置するものであり、上側を上述した細断屑排出口２１に臨ませるとともに、前方を開放させて屑入４を収容可能に構成しているものである。そしてこの屑入収容部３は、挿入した屑入４を位置決めするためのストッパ３１と、底壁３ｂにおいて２箇所に設けた台座部３２及び案内凸部３３と、両側壁に取り付けた押圧子案内板３４とを有している。ストッパ３１は、後壁３ａの下方の２箇所において後壁３ａ及び底壁３ｂに亘って一体に形成されたリブとなっているが、当該ストッパ３１の構成は他にも種々の構成を利用することができる。台座部３２は、底壁３ｂにおける２箇所において前後方向に亘って部分的に隆起させることによって設けたものであり、挿入する屑入４の下端を位置決めするためのものである。案内凸部３３は、台座部３２の略中央において底壁３ｂをさらに隆起させて設けたものであり、後述する屑入４の案内凹部４５に接することにより、挿脱の際に前後動作する屑入４の動作を好適に案内し得るものとなっている。押圧子案内板３４は、特に図５に示すように、屑入収容部３の両側内面側に取り付けた例えば樹脂製の板材であり、前方に向けて上下に広く開いた上下面であるテーパ面３４ａを有しており、後述する屑入４の押圧子４２をこのテーパ面３４ａにより案内することにより、当該押圧子４２を正確に作動体６の後述する押圧子収容部６３へと係り合わせるためのものである。
【００２７】
屑入４は、図１乃至５に示すように、細断屑を収容し得る屑入本体４０と、当該屑入本体４０に取り付けた押圧部材４１とを有するものであり、屑入本体４０の前面側には、使用者が屑入４を把持操作し易いように把手４６を設けている。屑入本体４０は、上端側に設けた把手４６と、下端側に設けられ案内凸部３３に対応する形状をなす案内凹部４５と、後方上端における両側には押圧子４２を取り付けるために内方へ窪ませて設けた、押圧子取付部４３とを有している。押圧部材４１は、この押圧子取付部４３に例えばねじ止めによって取り付けられるものであり、上端にはさらに外方へ円柱状に突出した押圧子４２を有している。そして特に図５に示すように、押圧部材４１を屑入本体４０に取り付けた状態において、屑入本体４０には、押圧子４２の平面視周縁に上方を凹ませて設けた溝部４４を形成したものとなっている。この溝部４４により、図５に示すように屑入４をゴミ袋Ｇ等で覆って仕様するばあいにはゴミ袋Ｇの端部を溝部４４に入れ込むことによって、ゴミ袋Ｇが押圧子４２に干渉することを有効に回避し得たものとなっている。そして屑入４を屑入収容部３に挿入又は取り出す動作を行う際には、屑入４の下側は屑入収容部３の台座部３２と案内凸部３３に接する面積のみが接するので、屑入４は案内凹部４５が案内凸部３３に正確に案内されるのみならず、摩擦が発生する接触面積が少ないために、少ない力で屑入４の操作を行う事ができる。
【００２８】
シャッタ５は図１乃至図４並びに図６に示すように、前後にスライド移動することにより細断屑排出口２１を開閉するものであり、前端側において細断屑排出口２１を閉止するための当接端部５２を設けるとともに、本実施形態では両側において作動体６を回動可能に垂下させて取り付けるための作動体取付部５１を設けている。この作動体取付部５１は具体的には、後述する作動体６から突出する回転軸６１を支持する軸受けとなっている。なお当該作動体取付部５１が作動体６を取り付ける態様としては当該態様に限られる事はなく、例えばシャッタ５から外方へ軸を延出させて作動体６を挿通し、先端側を保持体７に係り合わせるようにする態様としても良い。
【００２９】
作動体６は、後述する回転軸６１及び動作端６２を除いては主に樹脂からなるものであり、図２乃至４、図６及び図７に示すように、シャッタ５に回転可能に支持されることによって押圧子４２の係脱を許容する図２及び図４に示すような第１の姿勢（Ｐ）並びに押圧子４２の係脱を禁止して押圧子４２とともに動作し得る図３に示すような第２の姿勢（Ｑ）とを取り得るものである。当該作動体６は、シャッタ５に対して回転可能に支持される回転軸６１と、回転軸６１から離間した位置に設けられた動作端６２と、屑入４に設けられた押圧子４２を収容するための押圧子収容部６３と、第１の姿勢（Ｐ）においてロック部材７５に係り合うロック部材収容部６４とを有している。回転軸６１は、内側へ突出することによってシャッタ５の作動体取付部５１に回転可能に支持されるとともに、外側へも突出することにより保持体７に設けた補助案内部７４に挿入されることで保持体７に対してスライド可能に支持されるものである。動作端６２は、回転軸６１から離間した位置において外方へ突出して保持体７に設けた動作端案内部７１に挿入され、当該動作端案内部７１に沿って動作し得るものであり、外方へ突出する基端側と動作端案内部７１に挿入される先端側には例えば真鍮などの金属を用いてなるものである。押圧子収容部６３は、第１の姿勢（Ｐ）の際に押圧子４２を受け入れ得る開口端６３１と、第２の姿勢（Ｑ）によって内面６３ａに接することにより、押圧子４２とともに動作し得る収容端６３２とを有している。ロック部材収容部６４は、作動体６の前方において概略上方へ開口させた切欠であり、第１の姿勢（Ｐ）ではロック部材７５を切欠内に挟み込むことによってロック部材７５に係り合うことができるものとなっている。そして、本実施形態ではこのような動作端６２の構成、すなわち作動体６の他の部位よりも比重の思い真鍮などの金属を動作端６２に用いることで回転軸６１の位置で吊された作動体６は、この動作端６２の位置が回転軸６１の真下に近づくように位置付けられることによって、作動体６は自重によって第１の姿勢（Ｐ）に保持されるものとなっている。すなわち本実施形態では、斯かる動作端６２の構成をもって本発明に係る保持手段６ｘを構成したものとなっている。
【００３０】
保持体７は、図２乃至４、図６及び図８に示すように、刃収容部２の両外側に設けたものである。当該保持体７は、具体的には刃収容部２の両外側から下方へ垂下させて設けられ、上述した作動体６に係り合うものであり、内側においてシャッタ５に支持された回転軸６１を外側からスライド可能に補助的に支持する補助案内部７４と、押圧子４２と接することによる動作端６２の一連の動作を案内し得る動作端案内部７１と、作動体６に係り合ってシャッタ５を閉じた位置にロックするロック部材７５とを有している。補助案内部７４は、保持体７の上下方向中央付近において前後方向に直線的に延伸させて設けた長孔であり、上述の通り作動体６の回動軸をシャッタ５とは反対側から補助的に案内するものである。動作端案内部７１は、押圧子４２の動作に応じて作動体６を第１の姿勢（Ｐ）から第２の姿勢（Ｑ）へと案内し得る姿勢変更案内手段７２と、姿勢変更案内手段７２によって案内された動作端６２がシャッタ５がスライドする際に第１の姿勢（Ｐ）へと戻ることを規制する姿勢変更規制手段７３とを有している。姿勢変更案内手段７２は、主に下側面７２ａと上側面７２ｂとを主に有し、シャッタ５が閉止した状態にあるときの作動体６が第１の姿勢（Ｐ）から第２の姿勢（Ｑ）へ至る際の動作端６２の軌跡に応じて作動体６の回転軸６１を中心に部分円弧状に周回させて設けたものであり、特に屑入４を挿入してシャッタ５を開成させる際に、動作端６２を下側面７２ａに摺動させることによって第２の姿勢（Ｑ）へと案内し得るものである。姿勢変更規制手段７３は、同じく下側面７３ａと上側面７３ｂとを主に有し、姿勢変更案内手段７２に連続して動作端６２を第２の姿勢（Ｑ）に対応した位置を維持した状態でシャッタ５のスライド動作に沿って延伸させて設けたものである。特に、自重により第１の姿勢（Ｐ）へと戻ろうとする作動体６に対し、動作端６２を下側面７３ａが支持した状態を維持することによって、作動体６の第１の姿勢（Ｐ）への姿勢変更を規制するものとしている。
【００３１】
しかして本実施形態に係るシュレッダＡは、作動体６自身に上述のような保持手段６ｘを設けるとともに保持体７に動作端案内部７１を設けることによって、シャッタ５に取り付けた作動体６のスライド動作並びに姿勢変更を行わせるものとしている。以下に、屑入４を挿入する一連の動作における、シャッタ５及び作動体６の動作並びにこれらの保持体７との係り合いについて、図９（ａ）、図９（ｂ）及び図１０（ａ）、図１０（ｂ）を用いて詳述する。
【００３２】
図９（ａ）は、屑入収容部３に屑入４を収容する前の状態を状態を示している。この状態においてシャッタ５は閉止した状態となっている。ロック部材収容部６４は、ロック部材７５を収容することによって作動体６自体が後方へ移動できない状態となることにより、シャッタ５が開成しないようロックされた状態となっている。作動体６は姿勢変更案内手段７２の前端に接した状態となっている。具体的には作動体６は自重によって、動作端６２が最も下方に位置付けられた位置に向かって前方へ回転する方向の力が働いているため、動作端案内部７１の前端すなわち姿勢変更案内手段７２の前端に位置付けられた、第１の姿勢（Ｐ）をとっている。
【００３３】
図９（ｂ）は、屑入４が挿入されることによって、押圧子４２が開口端６３１から押圧子収容部６３内に侵入し、収容端６３２に接した状態を示している。この状態においては、押圧子４２は押圧子収容部６３の内面６３ａを押圧することにより動作端６２を後方へ移動させている。そして動作端６２は作動体６の自重に抗して回転を開始する。具体的にはこの状態においてもロック部材収容部６４内には依然ロック部材７５が位置しているために、回転軸６１は移動できない状態である一方、動作端６２は姿勢変更案内手段７２の下側面７２ａを摺動することによって、作動体６は回転のみを行い得る。
【００３４】
そして図１０（ａ）は、図９（ｂ）に示した状態からさらに屑入４を挿入することによって押圧子４２を後方へ移動させた状態を示している。この状態においては、押圧子４２が押圧子収容部６３の内面６３ａを更に押圧することにより、動作端６２は姿勢変更案内手段７２の後端まで摺動した状態となっている。そしてロック部材収容部６４はロック部材７５から完全に退避することによって、作動体６が押圧子４２の係脱を禁止する第２の姿勢（Ｑ）へと姿勢変更を行っている。すなわち、姿勢変更規制手段７３において動作端６２が摺動する際には、動作端６２は姿勢変更規制手段７３の下側面を摺動することにより、常に第２の姿勢（Ｑ）が維持されるので、押圧子４２の動作と作動体６の位置の移動すなわちシャッタ５のスライド動作とが連動し得るものとなっている。
【００３５】
図１０（ｂ）は、屑入４を図２乃至４に示したストッパ３１に当接させることにより、屑入収容部３内に完全に屑入４を挿入した状態を示している。この状態においては、第２の姿勢（Ｑ）に維持された作動体６が押圧子４２の動作に応じて姿勢変更維持手段の下面を摺動しつつ後端まで移動した状態である。この状態ではシャッタ５も作動体６に応じて動作範囲の後端に位置付けられることにより、細断屑排出口２１は完全に開成した状態となっている。
【００３６】
そして、使用者が屑入収容部３内に収容された屑入４を前方へ引き出す際には、上述した動作とは逆の動作を行うことによって、図１０（ｂ）に示した状態から、作動体６がスライド並びに姿勢変更を行うことにより、シャッタ５が閉止された図９（ａ）に示す状態へと戻ることとなる。
【００３７】
以上のような構成とすることにより、本実施形態に係るシュレッダＡは、作動体６の姿勢変更によりシャッタ５の開閉時のロックを屑入４の挿入・離脱に応じてスライドさせることにより、屑入４の挿脱動作のみによって、シャッタ５のスライド並びにシャッタ５の閉止位置でのロック・ロック解除といった、シャッタ５の動作に対して必要十分の動作を行わせることができるので、複雑な機構を採用することなく、継続的に安定したシャッタ５の開閉動作をし得るシュレッダＡとなっている。
【００３８】
そして本実施形態では、作動体６における動作端６２の重量を部分的に重くすることによって、作動体６の自重によって第１の姿勢（Ｐ）に保たれる保持手段６ｘを実現しているので、バネや格別の機構を用いることによる部品点数の増加を有効に回避し得たものとなっている。
【００３９】
また、作動体６を、回転動作によって第１の姿勢（Ｐ）と第２の姿勢（Ｑ）とに姿勢変更し得るものとして、屑入収容部３と屑入４との間の狭い空間を利用しながらも、正確に姿勢変更を行い得る構成を実現している。特に作動体６をシャッタ５の側方から垂下させて設けることにより、屑入収容部３と屑入４との間の狭い空間をより有効に利用し得たものとしている。
【００４０】
また本実施形態では、作動体６を、内側から回転可能に支持するスライド移動し得るシャッタ５と、外側からスライド移動可能に支持する保持体７とで挟み込むように支持しているので、作動体６がぶれやがたつきのないスライド動作並びに姿勢変更をし得るものとなっている。
【００４１】
また本実施形態では、押圧子４２の平面視周縁に上方を凹ませて設けた溝部４４を設けてゴミ袋Ｇの端を当該溝部４４内に退避させることができるので、屑入４にゴミ袋Ｇを被せると云った一般になされる態様を採用しても、押圧子４２やそれに係り合う作動体６に対してゴミ袋Ｇが干渉してしまうという不具合を未然に防止したものとなっている。
【００４２】
また、姿勢変更案内手段７２によって、押圧子４２の動作に応じた作動子のスムーズな姿勢変更を、本実施形態では実現している。具体的には、刃収容部２にシャッタ５、作動体６並びに保持体７といったシャッタ５の動作に関する構成要素を全て設けこの保持体７に姿勢変更規制手段７３及び姿勢変更案内手段７２を設けることにより、製造時ではシャッタ５の動作に関する構成要素を予め組み付けた状態でシャッタ５を組み立てることにより、迅速な組み付けを実現し得るとともに、継続して安定したシャッタ５の動作を実現し得るものとなっている。
【００４３】
そして本実施形態では回動可能に設けた作動体６に動作端６２を設け、保持体７がこの動作端６２を案内することによって上述したような姿勢変更案内手段７２と姿勢変更規制手段７３とを構成しているので、押圧子４２の動作に応じて正確に作動体６の姿勢変更を行い得るものとなっている。さらに保持体７にロック部材７５をも設けることにより、保持体７に支持されている作動体６にロック部材７５が誤差無く係り合うことができるので、シャッタ５並びに作動体６の動作をさらに安定させるとともに確実にシャッタ５の動作をロックし得るものとなっている。
【００４４】
以上、本発明の実施形態について説明したが、各部の具体的な構成は、上述した実施形態のみに限定されるものではなく、本発明の趣旨を逸脱しない範囲で種々変形が可能である。
【００４５】
例えば、上記実施形態では作動子をシャッタの両側に設けた構成としたが、勿論片側のみに設けたものであっても、上記実施形態と同様の作用効果を奏するものである。また、上記実施形態では、刃収容部に取り付けた保持体を設けることで作動子やロック部材を刃収容部とともにユニット化することによって作動体の姿勢変更並びにロックを行う構成としたが、同様の構成要素を、屑入収容部の内面側に作り込んだり、上述同様の保持体を屑入収容部側に取り付けたりしたものであっても、上記同様の作用効果を奏するものとすることができる。また作動体を第１の姿勢に保持する保持手段は上述の通り作動体の自重によって構成する以外にも、バネや樹脂の弾性によって作動体を第１の姿勢へ付勢するといった格別の構成要素を設けたものであっても良い。また、作動子並びに保持体は、シャッタの片側のみに設けたものであっても良い。
【００４６】
その他、各部の具体的構成についても上記実施形態に限られるものではなく、本発明の趣旨を逸脱しない範囲で種々変形が可能である。
【図面の簡単な説明】
【００４７】
【図１】本発明の一実施形態に係るシュレッダの外観図。
【図２】同実施形態に係るハウジング及び屑入を示す中央側断面図。
【図３】同ハウジング及び屑入を示す他の中央側断面図。
【図４】図２に係るＩ−Ｉ線断面図。
【図５】同実施形態に係る屑入及び屑入収容部を示す要部拡大図。
【図６】同実施形態に係るシャッタ、作動体及び保持体を示す要部拡大図。
【図７】同実施形態に係るシャッタ、作動体及び保持体の構成を示す構成説明図。
【図８】図７に対応した動作説明図。
【図９】同上。
【図１０】同上。
【符号の説明】
【００４８】
Ａ…シュレッダ
１…ハウジング
２…刃収容部
２１…細断屑排出口
２３…刃
３…屑入収容部
４…屑入
４０…屑入本体
４２…押圧子
４４…溝部
５…シャッタ
６…作動体
６１…回転軸
６２…動作端
６ｘ…保持手段
７…保持体
７１…動作端案内部
７２…姿勢変更案内手段
７３…姿勢変更規制手段
７４…補助案内部
７５…ロック部材
Ｐ…第１の姿勢
Ｑ…第２の姿勢
【図１】
2010005511.tif 000003
【図２】
2010005511.tif 000004
【図３】
2010005511.tif 000005
【図４】
2010005511.tif 000006
【図５】
2010005511.tif 000007
【図６】
2010005511.tif 000008
【図７】
2010005511.tif 000009
【図８】
2010005511.tif 000010
【図９】
2010005511.tif 000011
【図１０】
2010005511.tif 000012